(57)【要約】【課題】小物整理ができて、簡単に給水ができる維持費のかからない給水器具を提供すること。【解決手段】升目状ネット本体１のネットの構造を升目状に設け、升目状ネット本体１の空いた任意の場所に引っ掛けて固定されたフック付きかごの中に、小物を入れて整理できるように形成されている。また、着脱自在の蛇口６を接続された容器２は、升目状ネット本体１に引っ掛けて固定された容器受け部材８に逆さまにのせられ、さらに容器固定ゴムバンド７によって固定された容器２の中の液体が、蛇口６のハンドル１４をひねることにより容器２から器９に簡単に注げるように形成されている。【選択図】    図１
0003112175.tif 000002
【実用新案登録請求の範囲】
【請求項１】
升目状のネット本体に容器受け部材を引っ掛けて固定し、その上に着脱自在の蛇口を接続された容器を逆さまに乗せ、また容器はゴムバンドで固定し、蛇口のハンドルをひねる事により容器内の液体を簡単に給水することを特徴とする給水器具。
【請求項２】
給水する高さは、容器受け部材を升目状のネットの本体に引っ掛けて固定する位置により、自由に調整できることを特徴とする請求項１記載の給水器具。
【請求項３】
升目状のネット本体の形状を変えることにより、同一の升目状ネットの本体に容器受け部材を並列して複数個引っ掛けて固定し、容器内の液体を給水することを特徴とする請求項１又は２記載の給水器具。
【請求項４】
升目状のネット本体の空いた場所にフック付きかごを引っ掛けて固定し、その中に紙コップ、割り箸、眼鏡、携帯電話、財布、鍵などの小物を入れて整理もできることを特徴とする請求項１，２又は３記載の給水器具。
【考案の詳細な説明】
【技術分野】
【０００１】本発明は、ペットボトル等の容器内の液体を給水する給水器具または小物整理に関する。
【背景技術】
【０００２】従来、容器を手で持ってコップ等の器に注いだり、電池でポンプを作動させてコップ等の器に注いでいた。
【考案の開示】
【考案が解決しようとする課題】
【０００３】  しかしながら、手で直接注ぐ方法においては、小さな子供や老人にとってはとても難であった。また、電池式においては電池を消耗品として維持費が継続的にかかり、また給水の機能しかなかった。【０００４】  そこで本発明が解決するために、簡単に容器からコップ等の器に注ぐことができ、維持費のかからない給水器具および小物を便利に整理する方法を提供することにある。
【課題を解決するための手段】
【０００５】上記課題を解決するために本発明は、升目状のネット本体に容器受け部材を引っ掛けて固定し、その上に着脱自在の蛇口を接続された容器を反対に乗せ、また容器はゴムバンドで固定し、蛇口をひねる事により容器内の液体を簡単に給水することを特徴とする。また、升目状のネット本体の表と裏の下部に、Ｌ字型升目状ネット本体ささえ部材を設け、直立するように形成されている。さらに、給水する高さは、注ぐコップ等の器の高さによって、容器受け部材を引っ掛けて固定する位置により、自由に調整できるように形成されている。また、升目状ネット本体の空いた場所にフック付きかごを引っ掛けて固定し、その中に紙コップ、割り箸、眼鏡、携帯電話、財布、鍵などの小物を入れて整理できることを特徴する。
【考案の効果】
【０００６】  以上、詳細に説明したように、本発明によれば、小さな子供や老人にも簡単に容器内の液体を簡単にコップ等の器に注ぐことができ、維持費のかからない給水器具を提供することができる。また、升目状のネット本体の空いた場所にフック付きかごを引っ掛けて固定し、その中に小物を入れて利用することも出来る。
【考案を実施するための最良の形態】
【０００７】以下図面によって、本発明の実施の形態について説明する。図１は給水器具を示し、この給水器具はジュースや清涼飲料等の液体が入ったペットボトル等の容器２からコップ等の器９に液体を給水する器具であって、容器２に着脱自在な蛇口６が接続され、升目状ネット本体１の空いた任意の位置に引っ掛けて固定出来る容器受け部材８が設けられている。容器受け部材８には、着脱自在の蛇口６が接続された容器２を逆さまにのせて、容器２を容器固定ゴムバンド７によってしっかりと固定できるように形成されている。図２は平面図を示し、升目状ネット本体１の表面Ａ下部にＬ字型升目状ネット本体ささえ部材Ａ３、Ｂ４、裏面Ｂ下部に升目状ネット本体ささえ部材Ｃ５により升目状ネット本体１が直立するように設けられている。以上の状態でハンドル１４を開けば、容器２からコップ等の器９に液体を注ぐことが出来る。図３は容器受け部材８の説明図である。フック箇所８ａは升目状ネット本体１の任意の場所に引っ掛けて固定できるように折り曲げられ、容器２をしっかりのせられるように設けられている。それにより、器９の高さによって簡単に高さを調整出来るように形成されている。また容器２をのせる時は蛇口６をスペース８ｂを通り抜けるようにしてのせられるように形成されている。図４は容器固定ゴムバンドの説明図を示し、ジョイント１０を升目状ネット本体１に固定し、取っ手１２を摘みながら容器受け部材８にのせられた容器２を包むようにして升目状ネット本体１にフック１１を引っ掛けることにより、容器２がしっかり固定されるように形成されている。図５は蛇口６の説明図を示し、この蛇口６にはボトルに対応したネジ１８が切ってあるので９００ミリリットル、１．５リットル、２リットルのいずれのボトルにも対応することが出来る。また蛇口６には仕切り板１７を設けることにより、給水口２０と空気抜け口１９が形成され、容器２内の液体がコップ等の器９に流れやすくなるように形成されている。図６は本発明の小物整理に関する説明図である。升目状ネット本体１の裏面Ｂの任意の場所に引っ掛けて固定されたフック付きかご２３の中に、紙コップ、割り箸、眼鏡、携帯電話、財布、鍵など小物を入れて整理出来るように形成されている。また、表面Ａの空いた場所を利用してもかまわない。図７は本発明の実施例１を示す説明図である。升目状ネット本体１の幅を長くし、十分な間隔を置いて本発明の給水器具を並列に３つ取り付けたもので、たくさんの人が一度に利用できる給水器具を提供することが出来る。また、給水器具の間に引っ掛けて固定されたフック付きかご２３の中に紙コップ２２が入っておりとても利用しやすくなっている。【０００８】  本発明は以上の実施形態に限らず、種々の形態にて実施してよい。
【図面の簡単な説明】
【０００９】
【図１】本発明の構成を示す斜視図
【図２】本発明の構成を示す平面図
【図３】容器受け部材の説明図
【図４】容器固定ゴムバンドの説明図
【図５】蛇口の構成を示す説明図
【図６】本発明の小物整理に関する説明図
【図７】本発明の実施例１
【符号の説明】
【００１０】Ａ  表面
Ｂ  裏面
１  升目状ネット本体
２  容器
３  Ｌ字型升目状ネット本体支え部材Ａ
４  Ｌ字型升目状ネット本体支え部材Ｂ
５  Ｌ字型升目状ネット本体支え部材Ｃ
６  蛇口
７  容器固定ゴムバンド
８  容器受け部材
８ａ  折り曲げ箇所
８ｂ  スペース
９  器
１０ジョイント
１１フック
１２取っ手
１３バルブ
１４ハンドル
１５コック
１６コック孔
１７仕切り板
１８ねじ
１９空気抜け口
２０給水口
２１液体の出口
２２紙コップ
２３フック付きかご
【図１】
0003112175.tif 000003
【図２】
0003112175.tif 000004
【図３】
0003112175.tif 000005
【図４】
0003112175.tif 000006
【図５】
0003112175.tif 000007
【図６】
0003112175.tif 000008
【図７】
0003112175.tif 000009